(57)【要約】【課題】配線の取り回しが煩雑になることを防ぎ、配線が栽培をおこなう上でも配線が邪魔になることがなく、配線の劣化を防ぐことができる植物用ハウスを提供する。【解決手段】植物用ハウス１０は、植物用ハウス１０を構成する構造体１１と、植物用ハウス１０内への給電用の配線１６とで構成されている。この植物用ハウス１０は、構造体１１が中空であり、構造体１１内に配線１６を収容可能に構成されている。【選択図】図２
2009125040.tif 000002
【特許請求の範囲】
【請求項１】
植物用ハウスを構成する構造体と、植物用ハウス内への給電用の配線とを備えた植物用ハウスであって、
前記構造体は中空であり、前記配線を収容してなることを特徴とする植物用ハウス。
【請求項２】
前記配線の一部は、光源である紫外線ランプを光源とする照明器具に接続されており、前記配線のうち、露出している部分の表面は金属膜で被覆されていることを特徴とする請求項１記載の植物用ハウス。
【請求項３】
前記配線の終端が、前記構造体に一体化して設置されたコンセント差込口に接続されていることを特徴とする請求項１または請求項２記載の植物用ハウス。
【請求項４】
前記植物用ハウスを構成する構造体同士を連結する接続部において、前記配線を貫通させる開口部もしくは前記配線を接続するコンセント差込口を有することを特徴とする請求項１〜３のいずれか１項記載の植物用ハウス。
【発明の詳細な説明】
【技術分野】
【０００１】
本発明は、植物用ハウスを構造体で構成し、植物用ハウス内に給電用の配線を備えた植物用ハウスに関する。
【背景技術】
【０００２】
植物用ハウスは、構造体を鋼管で形成し、構造体でハウスの躯体を構成し、躯体を被覆フィルムで覆い、構造体の外面に沿って給電用の配線を設け、配線に燻蒸消毒器を接続されている（例えば、特許文献１参照）。
【特許文献１】実開平７−３６６７４号公報
【０００３】
特許文献１の植物用ハウスによれば、燻蒸消毒器の電灯の熱で薬剤が蒸発してハウス内に充満し害虫を駆除することができる。
【発明の開示】
【発明が解決しようとする課題】
【０００４】
しかし、特許文献１の植物用ハウスは、構造体の外面に沿って給電用の配線が設けられているので、配線がむき出しになる。
配線がむき出しであると、配線の取り回しに手間がかかったり、栽培をおこなう上でも配線が邪魔になる。
【０００５】
また、植物用ハウスのなかには、植物育成・病害防止用に紫外線ランプを用いたものがある。この植物用ハウスによれば、植物育成・病害防止用の紫外線ランプが放射する紫外線や、日光に含まれた紫外線で、配線を構成する樹脂が劣化することが考えられる。
【０００６】
本発明は、前述した要望を満たすためになされたもので、その目的は、配線の取り回しが煩雑になることを防ぎ、配線が栽培をおこなう上でも配線が邪魔になることがなく、配線の劣化を防ぐことができる植物用ハウスを提供することにある。
【課題を解決するための手段】
【０００７】
本発明の植物用ハウスは、植物用ハウスを構成する構造体と、植物用ハウス内への給電用の配線とを備えた植物用ハウスであって、前記構造体は中空であり、前記配線を収容してなることを特徴とする。
【０００８】
構造体を中空とし、構造体内に配線を収容することで、配線がむき出しになること、配線の取り回しが煩雑になること、配線が栽培をおこなう上で邪魔になることを防止できる。
また、構造体内に配線を収容することで、紫外線による配線の劣化を防ぐことができ、安全性や耐久性が向上する。
【０００９】
また、本発明は、前記配線の一部は、光源である紫外線ランプを光源とする照明器具に接続されており、前記配線のうち、露出している部分の表面は金属膜で被覆されていることを特徴とする。
【００１０】
配線のうち、露出している部分の表面を金属膜で被覆する。これにより、例えば、植物育成・病害防止用に紫外線ランプを使用する場合であっても、露出している部分の経時劣化が抑えられる。
【００１１】
さらに、本発明は、前記配線の終端が、前記構造体に一体化して設置されたコンセント差込口に接続されていることを特徴とする。
【００１２】
ここで、植物用ハウス内にコンセント差込口を設置する場合、コンセント差込口が可動であると、コンセント差込口に接続した配線が外部に（むき出しになってしまう）露出してしまう。
配線が外部に露出すると、配線の取り回しが煩雑となり、配線が栽培をおこなう上で邪魔になり、灌水作業などの際に、コンセント内に水が侵入する虞がある。
【００１３】
そこで、請求項３において、構造体にコンセント差込口を一体化して設置することにした。よって、構造体にコンセント差込口を固定することで、コンセント差込口に接続した配線がむき出しにならない。
これにより、配線の取り回しが煩雑とならず、配線が栽培をおこなう上でも邪魔にならない、さらに、紫外線による配線の劣化を防ぐことができ、安全性や耐久性が向上する。
【００１４】
また、本発明は、前記植物用ハウスを構成する構造体同士を連結する接続部において、前記配線を貫通させる開口部もしくは前記配線を接続するコンセント差込口を有することを特徴とする。
【００１５】
接続部に、配線を貫通させる開口部もしくはコンセント差込口を備えた。
これにより、長尺の構造体部品にあらかじめ開口部を設ける場合と比較して、配線を構造体外へ導出する位置を植物用ハウスの設置時に自由に決定でき、植物用ハウスの組立てが容易になる。
【発明の効果】
【００１６】
本発明の植物用ハウスによれば、構造体を中空とし、構造体内に配線を収容することで、配線の取り回しが煩雑になることを防ぎ、栽培をおこなう上でも配線が邪魔になることがなく、配線の劣化を防ぐことができるという効果を有する。
【発明を実施するための最良の形態】
【００１７】
以下、本発明の実施形態に係る植物用ハウスについて、図面を参照して説明する。
図１、図２に示すように、第１実施形態に係る植物用ハウス１０は、構造体１１である鋼管を躯体とし、合成樹脂の被覆フィルム１２で外壁を被覆した農業用の小屋である。
【００１８】
一般的には、あらかじめ湾曲させた構造体１１を互いに向かい合わせ、一端１１Ａを地面１３に刺し、他端を継手で連結してアーチ型に形成されている。
このアーチ型の構造体１１を奥行きの方向に所定間隔をおいて配置し、必要に応じて筋交い１４などの補強をおこなうことで植物用ハウス１０の骨組みを形成する。
以下、植物用ハウス１０の主な構成部材について詳しく説明する。
【００１９】
植物用ハウス１０は、植物用ハウス１０の躯体を構成する構造体１１と、構造体１１を被覆する透明の被覆フィルム１２と、植物用ハウス１０内への給電用の配線１６と、構造体１１に設けられるとともに配線１６に接続された照明器具１８とを備えている。
【００２０】
構造体１１は、図３に示すように、配線１６を収容可能な中空の鋼管であり、一部には配線１６を導出・導入可能な導出・導入用の開口部（穴）２１が設けられ、錆対策のためメッキ処理が施されている。
【００２１】
構造体１１を中空とし、構造体１１内に配線１６を収容することで、配線１６がむき出しになること、配線１６の取り回しが煩雑になること、配線１６が栽培をおこなう上で邪魔になることを防止できる。
また、構造体１１内に配線１６を収容することで、紫外線による配線１６の劣化を防ぐことができる。
【００２２】
構造体１１は、植物用ハウス１０の骨組みとなり、被覆用の透明な被覆フィルム１２（図１参照）を支え、植物を栽培する空間を形成するものである。
構造体１１は、表面が耐紫外線の特性を有しており、鋼板にメッキ処理を施した後、メッキ処理を施した鋼板を円筒状にロール成形した鋼管である。
【００２３】
図４、図５に示すように、構造体１１同士は接続部２３で連結されている。接続部２３は、配線１６を貫通させる開口部（出口）２５や、配線１６の終端を接続するコンセント２６を有している。
よって、コンセント２６は構造体１１に一体化して設置されている。すなわち、構造体１１にコンセント２６が固定されている。
なお、構造体１１にコンセント２６を固定した理由は後述する。
【００２４】
さらに、接続部２３に開口部２５を備えることで、長尺の構造体部品にあらかじめ開口部２５を設ける場合と比較して、配線１６を構造体１１の外側に取り出す位置を植物用ハウス１０（図１参照）の設置時に自由に決定できる。
【００２５】
この接続部２３は、構造体１１を差し込み可能に内径Ｄ１が、構造体１１の外径Ｄ２に略等しく形成された円筒状の鋼管である。
接続部２３の両端２３Ａから構造体１１を差し込むことで、それぞれの構造体１１を連結する。
【００２６】
接続部２３に設けられた開口部２５は、構造体１１内に通された配線１６をハウス１０内に導出する（取り出す）ため、または、ハウス１０内の配線１６を構造体１１内に導入する（差し込む）ための開口である。
【００２７】
接続部２３に一体に設けられたコンセント２６は、平型キャップ、設置キャップ、防水ゴムキャップなどを差し込み可能で、防水性を備えたコンセントである。
このコンセント２６は、（コンセント差込口）差込口２６Ａが備えられた部位（面）がカバー２７として着脱自在に備えている。
【００２８】
よって、コンセント２６の差込口２６Ａに備えた端子に、配線１６の終端を接続する際に、コンセント２６の差込口２６Ａを備える部位（面）からカバー２７を取り外すことで、構造体１１内から導出した（取り出した）配線１６の終端を、コンセント２６に手間をかけないで容易に接続することができる。
以下、「コンセント２６の差込口２６Ａに備えた端子に、配線１６の終端を接続する」ことを、「コンセント差込口２６Ａに配線１６の終端を接続する」と略記する。
【００２９】
構造体１１に一体化したコンセント２６のコンセント差込口２６Ａに配線１６の終端を接続することで、配線１６がむき出しにならない。
これにより、配線１６の取り回しが煩雑とならず、配線１６が栽培をおこなう上でも邪魔にならない、さらに、紫外線による配線１６の劣化を防ぐことができる。
【００３０】
給電用の配線１６は、配線板３１（図１参照）と、植物用ハウス１０内の照明器具（電気設備）１８を結び、電力を供給する配線であり、キャブタイヤケーブルを用いることが望ましい。
配線１６の終端は、構造体１１に一体化して設置されたコンセント２６のコンセント差込口２６Ａに接続されている。
【００３１】
配線１６の一部は、紫外線ランプ１９（図２（Ａ）参照）を光源とする照明器具１８に接続されており、（図２（Ｂ）参照）ハウス１０内に露出している部分１６Ａの表面は金属膜（金属製の膜）１７で被覆されている。
これにより、例えば、植物育成・病害防止用に紫外線ランプ１９を使用する場合であっても、露出している部分１６Ａの経時劣化が抑えられる。
【００３２】
金属膜１７としては、例えば、配線１６の外面に施される金属メッキ、配線１６を覆う金属（例えば、アルミ）製のスリーブ、配線１６を覆う金属製の可撓性を備えた電線管などが用いられる。
【００３３】
照明器具１８は、紫外線ランプ１９を光源とし、図示しない点灯回路（光源が蛍光ランプの場合、銅鉄安定器、グロー管もしくはインバータ点灯回路など）を備えている。
この照明器具１８は、金属製の筐体を備え、筐体内部、もしくは筐体と一体化した反射板を備えていてもよい。
【００３４】
また、照明器具１８の光照射方向には、前面ガラスもしくは樹脂製の前面カバーを備えていてもよい。
照明器具のその他の例として、押し出し成形によって製造した樹脂製シリンダ内に、照明器具の筐体・反射板・蛍光ランプを包含してなる器具を用いることも可能である。
【００３５】
紫外線ランプ１９は、紫外線領域（ＵＶ−Ａ，ＵＶ−Ｂ）の紫外線を主波長として放射する光源、蛍光ランプ、ＬＥＤ（発光ダイオード）キセノンランプなどが用いられる。
【００３６】
被覆フィルム１２は、構造体１１で形成した骨組みの天井全面に展張した後、いわゆるバッカーと呼ばれるプラスチック製器具や金属製の専用器具で構造体１１の各部分に押し付けることで構造体１１に取り付けられている。
さらに、被覆フィルム１２の上から植物用ハウス１０の横方向にプラスチック製の紐  を渡して補強することがある。
【００３７】
つぎに、植物用ハウス１０の組立手順を図１〜図５に基づいて説明する。
まず、植物用ハウス１０を設計する際、照明器具１８やコンセント２６の設置位置を決める。
【００３８】
設置位置を決めた後、決められた位置に配線１６の出口（開口部）２５やコンセント２６が位置するように、出口（開口部）２５やコンセント２６と一体化した接続部２３を配置するように植物用ハウス１０を組み立てる。
【００３９】
植物用ハウス１０を組み立てた後、外部の電源から植物用ハウス１０まで電線３３を引き込む。ここで、必要があれば配電盤３１を植物用ハウス１０の周辺（ハウス外壁が望ましい）に設置する。そして、外部より引き込んだ電線３３を配電盤３１に接続する。
【００４０】
つぎに、配電盤３１に接続した配線１６を構造体１１の端部より、構造体１１内に導入する。
導入した配線１６を出口（開口部）２５やコンセント２６の位置まで導き、配線１６を出口（開口部）２５から導出するか、コンセント２６のコンセント差込口２６Ａに接続する。
必要があれば、配線１６を分岐させて、他の出口（開口部）２５やコンセント２６まで配線１６を延長・導入する。
【００４１】
出口（開口部）２５から配線１６が導出されて、構造体１１の外側に配置される場合は、露出する部位１６Ａを金属膜１７を施したものに継ぎ替えるか、金属製のスリーブ・金属製の可撓性電線で覆う。
配線１６の終端を照明器具１８もしくはコンセント差込口２６Ａに接続する。
【００４２】
なお、前記実施形態で示した接続部２３、開口部２５、コンセント２６などの形状や材質は例示したものに限定するものではなく適宜変更が可能である。
【産業上の利用可能性】
【００４３】
本発明は、植物用ハウスを構造体で構成し、植物用ハウス内に給電用の配線を備えた植物用ハウスへの適用に好適である。
【図面の簡単な説明】
【００４４】
【図１】本発明に係る植物用ハウスを外側から見た状態を示す斜視図である。
【図２】本発明に係る植物用ハウスを内側から見た状態を示す斜視図である。
【図３】本発明に係る植物用ハウスの構造体を示す斜視図である。
【図４】本発明に係る植物用ハウスの接続部および開口部を示す斜視図である。
【図５】（Ａ）は本発明に係る植物用ハウスの接続部およびコンセントを示す斜視図、（Ｂ）は本発明に係る植物用ハウスのコンセントを示す底面図である。
【符号の説明】
【００４５】
１０  植物用ハウス
１１  構造体
１６  配線
１６Ａ  配線のうち、露出している部分
１７  金属膜
１８  照明器具
１９  紫外線ランプ（光源）
２３  接続部
２５  開口部
２６  コンセント
２６Ａ  差込口（コンセント差込口）
【図１】
2009125040.tif 000003
【図２】
2009125040.tif 000004
【図３】
2009125040.tif 000005
【図４】
2009125040.tif 000006
【図５】
2009125040.tif 000007